(57)【特許請求の範囲】
【請求項１】
設置面に立脚される脚部を有する一対の側壁部と、一対の折畳壁部と、底板部とで上方が開口した箱体を構成した収納カゴであって、
前記側壁部の左右両縁には、内側に屈曲する屈曲部が形成され、
前記折畳壁部は、その左右方向の中央に上下方向に形成された折目線に沿って内側に折り畳み可能に形成されるとともに、
前記折畳壁部は、その左右両端が前記側壁部の前記屈曲部の内側に回転軸があるヒンジで前記側壁部に対して折り畳み可能に連結され、
前記折畳壁部が折り畳まれたとき、前記一対の側壁部の左右両縁の前記屈曲部同士が当接して、前記一対の側壁部で囲われた内側に前記折畳壁部が収まるように構成され、
前記側壁部は、前記脚部と一体成型により形成されていることを特徴とする収納カゴ。
【請求項２】
前記折目線は、折り曲げ可能な薄肉部により形成されてなる請求項１に記載の収納カゴ。
【請求項３】
前記側壁部には、把手部が備えられ、又は取っ手が取り付けられた請求項１または２のいずれかに記載の収納カゴ。
【請求項４】
前記側壁部の下端には、スライドロック部が設けられている請求項１〜３のいずれかに記載の収納カゴ。
【請求項５】
前記側壁部は、複数の孔部が形成されている、又は網状に形成されている請求項１〜４のいずれかに記載の収納カゴ。
【発明の詳細な説明】
【技術分野】
【０００１】
本発明は、洗濯物、手荷物等を収容する収納カゴに関する。
【背景技術】
【０００２】
従来、収納カゴとして、収納カゴの下部に支柱を設けて収納カゴの高さ位置を高くすることで、使用者が立った状態においても洗濯物や小物品等の出し入れする動きの姿勢を楽にするものが知られている（特許文献１参照）。
【先行技術文献】
【特許文献】
【０００３】
【特許文献１】特開２０１２−９６８４４号公報
【発明の概要】
【発明が解決しようとする課題】
【０００４】
しかしながら、このような収納カゴにおいて、不使用時に収納場所が限られて邪魔になっていたため、より小さく折り畳めることができる収納カゴが望まれていた。
【０００５】
そこで、本発明は、上記事情に鑑みてなされたものであり、その目的は不使用時により小さく折り畳むことができ、かつ、折り畳んだ後でも見栄え良い収納カゴを提供することにある。
【課題を解決するための手段】
【０００６】
［１］設置面に立脚される脚部を有する一対の側壁部と、一対の折畳壁部と、底板部とで上方が開口した箱体を構成した収納カゴであって、
前記側壁部の左右両縁には、内側に屈曲する屈曲部が形成され、
前記折畳壁部は、その左右方向の中央に上下方向に形成された折目線に沿って内側に折り畳み可能に形成されるとともに、
前記折畳壁部は、その左右両端が前記側壁部の前記屈曲部の内側に回転軸があるヒンジで前記側壁部に対して折り畳み可能に連結され、
前記折畳壁部が折り畳まれたとき、前記一対の側壁部の左右両縁の前記屈曲部同士が当接して、前記一対の側壁部で囲われた内側に前記折畳壁部が収まるように構成されたことを特徴とする収納カゴ。
［２］前記側壁部は、前記脚部と一体成型により形成されている前項１に記載の収納カゴ。
［３］前記折目線は、折り曲げ可能な薄肉部により形成されてなる前項１または２に記載の収納カゴ。
［４］前記側壁部には、把手部が備えられている前項１〜３のいずれかに記載の収納カゴ。
【発明の効果】
【０００７】
前項［１］の発明によると、設置面に立脚される脚部を有する一対の側壁部と、一対の折畳壁部と、底板部とで上方が開口した箱体を構成した収納カゴであって、前記側壁部の左右両縁には、内側に屈曲する屈曲部が形成され、前記折畳壁部は、その左右方向の中央に上下方向に形成された折目線に沿って内側に折り畳み可能に形成されるとともに、前記折畳壁部は、その左右両端が前記側壁部の前記屈曲部の内側に回転軸があるヒンジで前記側壁部に対して折り畳み可能に連結されたため、前記折畳壁部が折り畳まれたとき、前記一対の側壁部の左右両縁の前記屈曲部同士が当接して、前記一対の側壁部で囲われた内側に前記折畳壁部が納めることにより、側壁部と屈曲部とが折畳壁部の目隠しとなり折り畳み時のシンプルな見栄えとなり、また収納カゴの厚さが薄くなるため、コンパクトに収納できる。
【０００８】
前項［２］の発明によると、側壁部と脚部とを一体成型により形成したため、脚部と側壁部とがつなぎ目のないシンプルな見栄えにすることができ、さらに部品点数を減らすことができ、コスト低減することができる。
【０００９】
前項［３］の発明によると、前記折目線は、折り曲げ可能な薄肉部により形成されてなるため、構造がシンプルになるとともに、部品点数を低減させることができる。
【００１０】
前項［４］の発明によると、前記側壁部には把手部が備えられているため、収納カゴを持ちやすく可搬性に優れている。
【図面の簡単な説明】
【００１１】
【図１】本発明の一実施形態の展開状態を示す斜視図である。
【図２】本発明の一実施形態の展開状態を示すＡ−Ａ断面図である。
【図３】本発明の一実施形態の展開状態を示す平面図である。
【図４】本発明の一実施形態の展開状態を示す底面図である。
【図５】本発明の一実施形態の折り畳み状態を示す斜視図である。
【図６】本発明の一実施形態の折り畳み状態を示す断面図である。
【図７】本発明の一実施形態を示す説明図であり、（ａ）は折り畳み方法を説明する説明図、（ｂ）は展開方法を説明する説明図である。
【発明を実施するための形態】
【００１２】
次に、本発明の一実施形態に係る収納カゴ１を図面に基づいて説明する。
【００１３】
図１〜６に示すように、本実施形態の収納カゴ１は、床等の設置面に立脚される脚部１１，１１を有する一対の側壁部１０，１０と、この一対の側壁部１０，１０に連結された一対の折畳壁部２０，２０と、一方の側壁部１０に連結された底板部３０とで構成されている。収納カゴ１は、一対の側壁部１０，１０と一対の折畳壁部２０，２０とが周壁となり、この周壁と底板部３０とで全体として上方が開口した箱状に構成される。
【００１４】
図１〜６に示すように、一対の側壁部１０，１０は板状に形成され、対向するように配置されている。この側壁部１０の下方には、設置面に立脚される脚部１１が側壁部１０，１０と一体成型により形成され、側壁部１０と脚部１１とは一体の部材から形成されている。側壁部１０及び脚部１１の左右両縁には、ほぼ直角になるように内側に折り返された屈曲部１２が形成されている。この屈曲部１２は収納カゴ１の角を構成するものである。脚部１１は中央がくり抜かれて形成されている。脚部１１の内面（一対の脚部が対向する面）には複数のリブ１３ａが設けられている。側壁部１０の上部中央には把手部１３が備えられおり、この把手部１３は長円形状の孔で形成されている。
【００１５】
図４に示すように、側壁部１０，１０の下端にはスライドロック部１５が設けられている。
このスライドロック部１５は収納カゴ１の折り畳み時において、意図しない時に展開するのを防止するものであり、この意図しない時に展開するのを防止している状態を「ロック状態」といい、防止していない状態（展開できる状態）を「非ロック状態」という。スライドロック部１５は、一方の側壁部１０に設けられた突起部１５ａと、他方の側壁部１０に設けられたスライド部１５ｂとで構成される。このスライドロック部１５は、スライド部１５ｂを突起部１５ａに向かってスライドさせることにより、このスライド部１５ｂと突起部１５ａとが係合してロック状態となり、スライド部１５ｂを突起部１５ａから離れる方向にスライドさせることで、スライド部１５ｂと突起部１５ａとの係合が解除されて非ロック状態となるものである。
【００１６】
一対の折畳壁部２０，２０は、それぞれ一対の側壁部１０，１０の間に配置され、折畳壁部２０，２０は、その左右両端が側壁部１０の屈曲部１２の内側に回転軸があるヒンジ１４で側壁部１０に対して折り畳み可能に連結されている。この折畳壁部２０は、その左右方向の中央に上下方向に形成された折目線２１に沿って内側に折り畳み可能に形成されている。この折目線２１は、折り曲げ可能な薄肉部により形成されてなるものである。この折畳壁部２０はこの折目線２１を折り目の基点にして、折り目が箱体の内側にくるように折り畳まれるものである。
【００１７】
図２，３，４，６に示すように、底板部３０は板状に形成されている。底板部３０は一対の側壁部１０，１０と一対の折畳壁部２０，２０とで囲われた内側下方であって、一対の側壁部１０，１０と一対の折畳壁部２０，２０と側部とで箱状になるように配置されている。この底板部３０はヒンジ３１で片方の側壁部１０に可動可能に連結されており、ヒンジ３１を基点に底板部３０を上方に持ち上げられるように構成されている。また、底板部３０には側壁部１０近傍に凹状の把手部３２が設けられている。底板部３０の裏面には強度を高めるため、リブ３３が菱形格子状に設けられている。
【００１８】
また、収納カゴ１の材質は、可塑性プラスチックのうち比較的硬度の高いものが用いられ、例えば、ポリプロピレンやポリエチレンなどが好適に用いられる。なお、折畳壁部２０，２０の折目線２１では折り曲げやすいように薄肉にされている。
【００１９】
次に、折り畳み方法（収納時）について説明する。図７（ａ）に示すように、使用者は底板部３０の把手部３２を持って底板部３０を上方に持ち上げ、側壁部１０と平行状態（垂直状態）にする。この状態で使用者は、両手で側壁部１０，１０の把手部１３，１３それぞれを持って一対の側壁部１０，１０を近接させる。そうすると、折畳壁部２０は折目線２１を折り目の基点にして内側にくるように折り畳まれるとともに、側壁部１０，１０の左右両端部同士（屈曲部１２，１２の左右両端部同士）が接触し、一対の側壁部１０，１０で囲った空間ができる。この一対の側壁部１０，１０で囲った内側空間内に、折畳壁部２０，２０が収まり、収納カゴ１の厚さを薄くすることができる。最後に側壁部１０，１０の下方のスライドロック部１５をロックすることで折り畳み作業が完了する。
【００２０】
次に展開方法（使用時）について説明する。図７（ｂ）に示すように、使用者はスライドロック部１５を外し、両手で側壁部１０，１０の把手部１３，１３を持って収納カゴ１を開く。そうすると、折畳壁部２０，２０は、折り畳まれた折目線２１，２１が板状に展開される。使用者はその状態で底板部３０の把手部３２を持って底板部３０を下ろし、底板部３０を固定すると展開が完了する。
【００２１】
本実施形態の収納カゴは、次の利点がある。
【００２２】
すなわち、本実施形態によると、折畳壁部２０，２０の折目線２１が中央に形成されているため、この折目線２１を折り目の基点にして、折り目が内側にくるように折り畳むことにより、側壁部１０，１０同士の左右のずれが生じることなく、よりコンパクトに折り畳むことができる。
【００２３】
さらに、本実施形態によると、スライドロック部１５を設けたため、折り畳み状態にある収納カゴ１が意図せず展開状態になるのを防止できる。
【００２４】
さらに、本実施形態によると、脚部１１のリブ１３ａと、底板部３０のリブ３３を設けたため、強度を向上させることができる。
【００２５】
以上、本発明を一実施形態に基づいて説明してきたが、本発明はこれに限定されるものではなく、その発明の範囲で適宜変更可能であり、例えば以下のように構成しても良い。
（１）前記実施形態では、側壁部１０の把手部１３は長円形状の孔を設けて形成したが、代わりに、取っ手等を取り付けても良い。
（２）前記実施形態では、材質等は可塑性プラスチックのうち比較的硬度の高いものが用いたが、特に可塑性プラスチックに限定されるものではなく、本発明の構成を有するものであれば、任意の材料を選択できる。
（３）前記実施形態では、側壁部１０，１０を板状に形成したが、代わりに、複数の孔部を形成しても、網状に形成しても、その他その発明の範囲で適宜変更できる。
（４）前記実施形態では、把手部１３を側壁部１０に設けたが、折畳壁部に設けても良く、その他その発明の範囲で適宜変更できる。
（５）前記実施形態では、リブ１３ａ，３３を設けたが、リブ以外の強度を高める方法を採用でき、またリブを設けなくても良い。
（６）前記実施形態では、折目線２１は折り曲げ可能な薄肉部により形成されてなるとしたが、代わりにヒンジ等を採用して折り返しできるように構成しても良い。
（７）前記実施形態では、折畳壁部２０，２０の左右両端が側壁部１０，１０の左右両端にヒンジ１４で可動可能に連結したが、ヒンジ以外の可動可能に連結できる手段を採用しても良い。
【符号の説明】
【００２６】
１：収納カゴ
１０：側壁部
１１：脚部
１２：屈曲部
１３：把手部
１３ａ：リブ
１４：ヒンジ
１５：スライドロック部
１５ａ：突起部
１５ｂ：スライド部
２０：折畳壁部
２１：折目線（薄肉部）
３０：底板部
３１：ヒンジ
３２：把手部
３３：リブ
【図１】
0006621670.tif 000002
【図２】
0006621670.tif 000003
【図３】
0006621670.tif 000004
【図４】
0006621670.tif 000005
【図５】
0006621670.tif 000006
【図６】
0006621670.tif 000007
【図７】
0006621670.tif 000008